(57)【特許請求の範囲】
【請求項１】
口頸部(2) を起立する容器体(1) と、上記口頸部内面へ嵌着させた嵌合壁(13)を有する栓保持筒(11)と、有底の嵌合筒(22)の周壁(22b) に付設した外向きフランジ(23)の下面から摺動筒(24)を垂設させてなり、この摺動筒を上記嵌合壁(13)内面へ一定ストローク内で上下動自在に嵌合させた塗布栓部材(21)と、上記容器体口頸部外面へ嵌合させたキャップ周壁(43)を有するキャップ(41)とを主要部材となし、栓保持筒(11)は、フランジ状底板(12)外周から上記嵌合筒(13)を、かつ内周から弁座筒(15)をそれぞれ起立させて、この弁座筒(15)の上端開口面で弁孔(17)を形成しており、塗布栓部材(21)は、上記嵌合筒(22)の底板(22a) の下面に付設した第１弁体(27)で上記弁孔(17)を密閉すると共に、その嵌合筒(22)の底板(22a) 外周から起立する周壁(22b) の上部を、上記外向きフランジ(23)上方へ突出させ、さらにこの嵌合筒(22)内へ、該筒上方に上部を突出させて吸液部材(31)を嵌合させると共に、外向きフランジ(23)下方の周壁部分に液体流通孔(29)を穿設させて形成しておき、又上記摺動筒(24)と弁座筒(15)との間へコイルスプリング(32)を介装させて、栓保持筒(11)に対して塗布栓部材(21)を上方付勢させ、キャップ(41)は、キャップ周壁(43)内面に設けた下向き段部(44)を塗布栓部材の外向きフランジ(23)上面へ圧接させることで、付勢に抗して塗布栓部材(21)が下限まで押下げられ、該キャップ取外しにより塗布栓部材(21)が上昇してこのとき弁孔(17)と第１弁体(27)とが形成する第１吐出弁(28)が開放可能に形成し、上記外向きフランジ(23)下面から、弁座筒外面へ水密に嵌合するシール筒(25)を垂下させ、上記弁座筒(15)外面に対するシール筒(25)の嵌合を、弁座筒(15)の上端部外面から上外方へ拡開突出する弾性筒(19)の上端部外面をシール筒(25)内面へ水密に圧接させて行ったことを特徴とする、液体塗布容器。
【請求項２】
弁座筒(15)の上端部内面に内向きフランジ状壁部(51)を付設すると共に第１弁体(27)を底板(22a) 下面から垂下させた短筒で形成し、又該短筒内へ上端筒部を固着させて垂設した弁筒(61)下端から第２弁体としての弾性テーパ壁(62)を下外方へ拡開させて垂下し、キャップ取外しにより塗布栓部材(21)が上昇して第１吐出弁(28)が開いたとき、弾性テーパ壁(62)上面が内向きフランジ状壁(51)下面へ水密に圧接して、それ等弾性テーパ壁(62)上面および内向きフランジ状壁(51)下面が形成する第２吐出弁(63)が閉塞可能としたことを特徴とする、請求項１記載の液体塗布容器。
【発明の詳細な説明】
【０００１】
【発明の属する技術分野】
本発明は、液体塗布容器に関する。
【０００２】
【従来の技術】
従来一般に液体塗布容器は、身体一部に薬液を塗布する容器として用いられていたが、近時は家屋の壁面へ洗剤等を塗布する際にも用いられている。それ等液体塗布容器として従来多数のものが知られているが、通常容器体口頸部内へ、塗布栓を嵌合させておき、容器体の倒立ないし傾斜により塗布栓が有する吸液材に容器体内液体を供給して塗布面擦り付けにより塗布し、塗布終了後は容器体口頸部へキャップを嵌合させている。
【０００３】
【発明が解決しようとする課題】
上記従来の液体塗布容器は、キャップ嵌合状態にあっても容器体内と容器体口頸部に下部を嵌合させて起立する塗布栓が有する吸液部材とが連通しているため、容器体が倒れたりすると吸液部材の含有液体が多くなりすぎ、そのため吸液部材上面が形成する擦付面を被塗布面へ擦り付けたとき、塗布液体が多すぎることで垂れたりする欠点があった。
【０００４】
本発明は、容器体にキャップをすると、吸液部材付きの塗布栓基部が容器体口頸部内へ押込みされることで、吸液部材への液体通路が遮断されて吸液部材の液体含有量が過剰となることがないよう設けると共に、キャップを外すと上記塗布栓が口頸部外方へ押出されて上記液体通路が開放し、又その塗布栓外方押出しにより塗布が行い易く、便利となるよう設けたものである。又塗布栓付勢用のコイルスプリングが液体に触れることでの悪影響が発生しないよう設けた。
【０００５】
【課題を解決するための手段】
第１の手段として口頸部２を起立する容器体１と、上記口頸部内面へ嵌着させた嵌合壁13を有する栓保持筒11と、有底の嵌合筒22の周壁22b に付設した外向きフランジ23の下面から摺動筒24を垂設させてなり、この摺動筒を上記嵌合壁13内面へ一定ストローク内で上下動自在に嵌合させた塗布栓部材21と、上記容器体口頸部外面へ嵌合させたキャップ周壁43を有するキャップ41とを主要部材となし、栓保持筒11は、フランジ状底板12外周から上記嵌合筒13を、かつ内周から弁座筒15をそれぞれ起立させて、この弁座筒15の上端開口面で弁孔17を形成しており、塗布栓部材21は、上記嵌合筒22の底板22a の下面に付設した第１弁体27で上記弁孔17を密閉すると共に、その嵌合筒22の底板22a 外周から起立する周壁22b の上部を、上記外向きフランジ23上方へ突出させ、さらにこの嵌合筒22内へ、該筒上方に上部を突出させて吸液部材31を嵌合させると共に、外向きフランジ23下方の周壁部分に液体流通孔29を穿設させて形成しておき、又上記摺動筒24と弁座筒15との間へコイルスプリング32を介装させて、栓保持筒11に対して塗布栓部材21を上方付勢させ、キャップ41は、キャップ周壁43内面に設けた下向き段部44を塗布栓部材の外向きフランジ23上面へ圧接させることで、付勢に抗して塗布栓部材21が下限まで押下げられ、該キャップ取外しにより塗布栓部材21が上昇してこのとき弁孔17と第１弁体27とが形成する第１吐出弁28が開放可能に形成し、上記外向きフランジ23下面から、弁座筒外面へ水密に嵌合するシール筒25を垂下させ、上記弁座筒15外面に対するシール筒25の嵌合を、弁座筒15の上端部外面から上外方へ拡開突出する弾性筒19の上端部外面をシール筒25内面へ水密に圧接させて行った。
【０００６】
第２の手段として上記第１の手段を有すると共に、弁座筒15の上端部内面に内向きフランジ状壁部51を付設すると共に第１弁体27を底板22a 下面から垂下させた短筒で形成し、又該短筒内へ上端筒部を固着させて垂設した弁筒61下端から第２弁体としての弾性テーパ壁62を下外方へ拡開させて垂下し、キャップ取外しにより塗布栓部材21が上昇して第１吐出弁28が開いたとき、弾性テーパ壁62上面が内向きフランジ状壁51下面へ水密に圧接して、それ等弾性テーパ壁62上面および内向きフランジ状壁51下面が形成する第２吐出弁63が閉塞可能とした。
【０００９】
【発明の実施の形態】
まず、図１が示す第１実施形態について説明すると、１は容器体で口頸部２を起立する。該口頸部はキャップ螺合用の雄ねじ３を有する。
【００１０】
上記口頸部内へは栓保持筒11を嵌合させている。該筒は、フランジ状底板12外周から口頸部内面へ嵌着させて嵌合壁13を起立し、該壁上端に外向きフランジ14を付設して該フランジを口頸部上端面上へ載置させている。又上記底板内周からは弁座筒15を起立し、該筒上部を下内方へ折返して該折返し筒部分の上面をテーパ状の第１弁座16とし、折返し筒孔を弁孔17としている。又上記嵌合壁13の内面へは、上下巾の広い凹溝18を周設させている。該凹溝については後述する。
【００１１】
上記栓保持筒11には塗布栓部材21を所定ストローク出入自在に装着させる。該部材は、上面開口でかつ下面閉塞の吸液部材用嵌合筒22の上下方向中間部に外向きフランジ23を有し、該フランジ下面から、上記嵌合壁13内面へ一定ストローク上下動自在に嵌合させる摺動筒24を垂下する。
【００１２】
摺動筒24外面には係合突条26を周設して該突条を既述嵌合壁22の凹溝18内へ位置させており、図１左半が示すように係合突条26が凹溝18上面に接するまで栓保持筒11に対して塗布栓部材21は上昇でき、又同図右半が示すように外向きフランジ23が栓保持筒11の外向きフランジ14に接するまで下降可能である。
【００１３】
吸液部材用嵌合筒22の底板22a 下面には第１弁体27を付設している。該第１弁体は底板外周部下面から短筒を垂下し、該短筒外周面を既述第１弁座に対応する、下部小径のテーパ面として形成し、栓保持筒11に対して塗布栓部材21が上下動することで、上記第１弁座16と第１弁体27とが形成する第１吐出弁28が開閉する。
【００１４】
既述外向きフランジ23下方の嵌合筒の周壁部分には適当数の液体流通孔29を穿設しており、嵌合筒内へはスポンジ等の吸液部材31を、該部材上部を筒上方へ突出させて嵌合させている。
【００１５】
又既述摺動筒24と弁座筒15との間へはコイルスプリング32を介装させて栓保持筒11に対して塗布栓部材21を上方付勢させている。
【００１６】
41はキャップで、頂壁42外周から垂下する周壁43上半部は小径部とし、かつ下半は大径部として、その小径部と大径部との間の周壁部分内面に下向き段部44を形成している。頂壁42と小径部とで外向きフランジ23上方の嵌合筒部分および該筒部分上方へ突出する吸液部材部分を覆い、又大径部を容器体口頸部外面へ螺合可能としている。下向き段部44内径は上記外向きフランジ23外径よりも小とし、上記大径部を口頸部２外面へ螺合締付けさせることで、下向き段部44が塗布栓部材の外向きフランジ23を押下げ、該フランジを栓保持筒11の外向きフランジ14へ圧接させる。
【００１７】
上記構成において、予め容器体１内へ液体を入れておき、キャップ41を外すと、図１左半が示すようにコイルスプリング32の上方付勢により栓保持筒11に対して塗布栓部材21が上昇して第１吐出弁28が開く。該状態から容器体１を倒立ないし傾けることで容器体内液体は第１吐出弁28および液体流通孔29内を通って吸液部材31に吸水され、よって塗布することが出来る。
【００１８】
使用後はキャップ41を螺合することで塗布栓部材21が押下げられ、第１吐出弁28が閉塞する。
【００１９】
図２は第２実施形態を示し、該実施形態にあっては外向きフランジ23下面から弁座筒15外面へ水密に嵌合させるシール筒25を垂下する。該シール筒はその下端部を下内方へ屈曲させ、その下端内面を弁座筒15外面へ水密に圧接させている。
【００２０】
図３は第３実施形態を示し、弁座筒15外面へのシール筒25の水密な嵌合を、弁座筒15上端から上外方へ突設した弾性筒19の上端部外面をシール筒25の内面へ圧接させることで行っている。その他部分は図１の場合と同じであり、同一符号を付することで説明を省略する。
【００２１】
図４は第４実施形態を示す。該実施形態にあっては弁座筒15の上端部内面に内向きフランジ状壁部51を付設して該壁部下面を第２弁座52として上内方へのテーパ面としている。
【００２２】
又第１弁体27を形成する短筒内へ、弁筒61上部を抜け落ち不能に嵌着させ、該弁筒下端から弾性テーパ壁62を下外方へ突出し、図４の左半が示すようにキャップ取外し時、塗布栓部材21が上昇して第１吐出弁28が開いたとき、弾性テーパ壁62上面が上記第２弁座52へ水密に圧接して、それ等弾性テーパ面および内向きフランジ状壁51下面の第２弁座が形成する第２吐出弁63が閉塞するよう設けている。その他部分については第３実施形態の場合とほぼ同じであり、同一符号を付することで説明を省略する。
【００２３】
既述第２および第３実施形態は第１実施形態の場合と同様に使用するが、第４実施形態の場合は、図４左半が示すように、第１吐出弁28が開き、かつ第２吐出弁63が閉じた状態で、容器体を倒立ないし傾けて吸液部材31の上端面が形成する塗布面を被塗布面へ押付けする。すると付勢に抗して塗布栓部材21が栓保持筒11側へ押込みされることとなり、よって第２吐出弁63が開き、容器体内液体は第２吐出弁63、第１吐出弁28、液体流通孔29を通って吸液部材31に吸水される。従って吸液部材の含水量が多くなったときは上記塗布面の押付けを離すことで吸液部材への液体供給を遮断して塗布し、又その含水量が少なくなったときは、その塗布面押付けにより第２吐出弁63を開放すればよい。塗布終了後、キャップすることで塗布栓部材21を押下げ、第１吐出弁28を閉塞できることについては、第１、第２、第３実施形態の場合と同じである。
【００２４】
【発明の効果】
本発明は既述構成とするものであり、施蓋状態にあっては吸液部材31に対する液体供給路を第１吐出弁28が閉じ、キャップ取外しでその第１吐出弁が開くよう設けたから、施蓋状態で容器が倒れる等しても、そのため吸液部材の含液量が過剰となってそのため塗布時にいわゆるボタ落ちが生ずることを防ぐことが出来、又キャップ取外しによって、容器体および栓保持筒11に対して塗布栓部材21が上昇するよう設けたから、容器の長さを施蓋時には短かく、又使用時には長くして、吸液部材31先端面が形成する塗布面を、その先端に位置させることでの塗布を行い易くすることが出来る。
【００２５】
また、コイルスプリング32を液体に触れないようにすることが出来、発錆等による化学的変化等のおそれがない。
【００２６】
更に、第１吐出弁28開放のまま容器を正立させることで、第１吐出弁と液体流通孔29との間の流路内に残った液体を容器体内へ戻すことが出来る。
【００２７】
第２の手段のようにすることで、塗布作業中における吸液部材31への液体供給の調整が容易となる。
【図面の簡単な説明】
【図１】  本発明容器要部の縦断面図で、図右半はキャップ施蓋状態を、図左半はキャップ取外し状態を示す。
【図２】  第２実施形態で示す容器要部の縦断面図で、図右半はキャップ施蓋状態、図左半はキャップ取外し状態を示す。
【図３】  第３実施形態で示す、容器要部の縦断面図で、図右半はキャップ施蓋状態、図左半はキャップ取外し状態を示す。
【図４】  第４実施形態で示す、容器要部の縦断面図で、図右半はキャップ施蓋状態、図左半はキャップ取外し状態を示す。
【符号の説明】
１…容器体                    11…栓保持筒
13…嵌合壁                    15…弁座筒
19…弾性筒                    21…塗布栓部材
24…摺動筒                    25…シール筒
27…第１弁体                  28…第１吐出弁
29…液体流通孔                31…吸液部材
41…キャップ                  63…第２吐出弁
【図１】
0004407871.tif 000002
【図２】
0004407871.tif 000003
【図３】
0004407871.tif 000004
【図４】
0004407871.tif 000005